(57)【要約】【課題】キャリッジを大型化することなく、簡単な構造で糸ガイド部材を歯口間隙間部から退入した状態を保持できるようにする。【解決手段】ヤーンフィーダからの編糸を銜えた編針を引き込んで編目の度目を設定する度山カムを度目調節可能にキャリッジに設け、度山カムが編目形成側に移動すると可動糸ガイド部材が歯口間隙間部側に進出する方向に移動し、度山カムが編目を編成しない度山休止側に移動すると可動糸ガイド部材が歯口間隙間部側からニードルベッド側に退入する方向に移動するように度山カムと糸ガイド部材とを連動手段で連結する。【選択図】図２
2005076155.tif 000002
【特許請求の範囲】
【請求項１】
ニードルベッドにニードルプレートを等間隔に配設し、各ニードルプレート間に編針をキャリッジにより出退操作可能に並設したニードルベッドを、その歯口部分を突き合わせた状態で前後に配設し、当該編針を進退摺動させるキャリッジを各ニードルベッド上にそれぞれ走行可能に設け、歯口部分にはヤーンフィーダから給糸された編糸を所定の位置に案内する糸ガイド部材を進退可能に設けてなる可動糸ガイド部材を備えた横編機において、ヤーンフィーダからの編糸を銜えた編針を引き込んで編目の度目を設定する度山カムを度目調節可能にキャリッジに設けるとともに、度山カムが編目を形成する編目形成側に移動すると可動糸ガイド部材が歯口間隙間部側に進出する方向に移動し、度山カムが編目を編成しない度山休止側に移動すると可動糸ガイド部材が歯口間隙間部からニードルベッド側に退入する方向に移動するように度山カムと糸ガイド部材とを連動手段で連結したことを特徴とする可動糸ガイド部材を備えた横編機。
【請求項２】
キャリッジに設けられた左右一対の度山カムの何れか一方の度山カムと糸ガイド部材とを連動手段で連結したことを特徴とする請求項１に記載の可動糸ガイド部材を備えた横編機。
【請求項３】
連動手段が、度山カムに形成された溝カムと、該溝カムに一端が係合して揺動操作される操作ベルクランクと、一端が操作ベルクランクの他端に連結され、中間部を回動軸に枢支された揺動アームと、揺動アームの他端で昇降操作される糸ガイド部材制御カムとで構成したことを特徴とする請求項１又は２に記載の可動糸ガイド部材を備えた横編機。
【請求項４】
度山カムがキャリッジ外に設けられた駆動手段で昇降操作可能に構成された請求項１又は２に記載の可動糸ガイド部材を備えた横編機。
【発明の詳細な説明】
【技術分野】
【０００１】
本発明は糸ガイドを備えた横編機に関し、特に糸ガイドを進退操作可能にした可動糸ガイド部材を備えた横編機に関するものである。
【背景技術】
【０００２】
歯口部を突き合わせた状態で前後にニードルベッドを配設し、ヤーンフィーダから給糸された編糸をキャリッジの編成用カムで歯口間隙間部に進出した編針に確実に銜えさせるため、編糸を所定の低い位置に案内する糸ガイド部材を設けたものがある。
【０００３】
ところが、糸ガイド部材が設けられる歯口部分が狭隘なため、例えばステッチプレッサーが編目を押えるために歯口間隙間部に進出したときに糸ガイド部材と干渉する恐れがある。
そこで、ステッチプレッサーが歯口間隙間部に進出して編目を押える時には糸ガイド部材を駆動手段により歯口間隙間部からニードルベッド側に退入させるようにしたものがある。
【特許文献１】特公平６−７２３４７号公報
【発明の開示】
【発明が解決しようとする課題】
【０００４】
この糸ガイド部材を駆動させる駆動手段はキャリッジに装着された駆動用モータでステッチプレッサーが歯口間隙間部に進出する時にのみ、これに連動して糸ガイド部材が歯口部分からニードルベッド側に瞬間的に退入するようにした構成であって、キャリッジが通過する特定区域の糸ガイド部材を適宜、歯口間隙間部からニードルベッド側に退入させた状態に保持することができない。
【０００５】
また、同公報に示されるように、ステッチプレッサーを介して糸ガイド部材を操作する駆動用モータをキャリッジに設けるようにしたものでは、キャリッジが大型化するだけでなく、質量も増え、往復駆動時の慣性も大きくなることから、駆動装置も大きな出力のものを要し高速で頻繁に往復運動を繰り返す手袋や靴下その他の小さな編み幅のニット製品を生産するための編機には適さない問題が生じる。
【０００６】
また、上記手袋や靴下等の編製品だけでなく、編機上でできる限り完成品に近付け、後工程の省力化を図ることが重要視され、手袋の指先や編糸切換え等の編み始め、及び／または編み終わりに生じる端余糸を自動的に捕捉・切断して編地内に挿入するための部材、またはその他省力化のための編成補助部材を、歯口間隙間部に適宜配置させるスペースを確保することが難しくなる。
本発明は上記問題点に鑑み提案されたもので、キャリッジを大型化することなく、簡単な構造で糸ガイド部材を歯口間隙間部から退入した状態を保持できるようにすることを目的とするものである。
【課題を解決するための手段】
【０００７】
上記目的を達成するために本発明にかかる可動糸ガイド部材を備えた横編機は、ニードルベッドにニードルプレートを等間隔に配設し、各ニードルプレート間に編針をキャリッジにより出退操作可能に並設したニードルベッドを、その歯口部分を突き合わせた状態で前後に配設し、当該編針を進退摺動させるキャリッジを各ニードルベッド上にそれぞれ走行可能に設け、歯口部分にはヤーンフィーダから給糸された編糸を所定の位置に案内する糸ガイド部材を進退可能に設けてなる可動糸ガイド部材を備えた横編機において、ヤーンフィーダからの編糸を銜えた編針を引き込んで編目の度目を設定する度山カムを度目調節可能にキャリッジに設けるとともに、度山カムが編目形成側に移動すると可動糸ガイド部材が歯口間隙間部側に進出する方向に移動し、度山カムが編目を形成しない度山休止側に移動すると可動糸ガイド部材が歯口間隙間部からニードルベッド側に退入する方向に移動するように度山カムと糸ガイド部材とを連動手段で連結したことを最も主要な特徴とするものである。
また、キャリッジに設けられた左右一対の度山カムの何れか一方の度山カムと糸ガイド部材とを連動手段で連結したり、連動手段を、度山カムに形成された溝カムと、該溝カムに一端が係合して揺動操作される操作ベルクランクと、一端が操作ベルクランクの他端に連結され、中間部を回動軸に枢支された揺動アームと、揺動アームの他端で昇降操作される糸ガイド部材制御カムとで構成したり、度山カムをキャリッジ外に設けられた駆動手段で昇降操作可能に構成することも特徴とするものである。
【発明の効果】
【０００８】
本願発明の可動糸ガイド部材を備えた横編機は、ヤーンフィーダからの編糸を銜えた編針を引き込んで編目の度目を設定する度山カムを度目調節可能にキャリッジに設けるとともに、度山カムが度目形成側に移動すると可動糸ガイド部材が歯口間隙間部側に進出する方向に移動し、度山カムが編目を形成しない度目値ゼロ側に移動すると可動糸ガイド部材が歯口間隙間部からニードルベッド側に移動するように度山カムと糸ガイド部材とを連動手段で連結してある。
従って、度山カムで度目を調整して編目を形成する編成時には糸ガイド部材を歯口間隙間部に進出させることができ、一方、度山カムで編目を形成しない度山休止側では、即ち編目を引き込まない状態に度山を移動させたときには糸ガイド部材を歯口間隙間部からニードルベッド側に退入させるとともに、この状態を保持することができる。  これにより、編み始め及び編地の編み終わりに生じる端余糸を自動的に編地内に挿入するための編成補助部材を適宜配置するスペースを確保することができる。
【発明を実施するための最良の形態】
【０００９】
キャリッジに設けられた左右一対の度山カムは、キャリッジ外に設けられた駆動手段で個別に昇降操作可能に構成され、左右何れか一方に度山カムの位置によって糸ガイド部材が進退可能なように、左右何れかの度山カムと糸ガイド部材とを連動手段で連結し、該度山カムを編成時における先行側（編成編目を形成しない側）または後行側（編目を編成する側）に、キャリッジの摺動方向を設定してスペースを有効に利用することができるので、キャリッジの小型・軽量化が実現できる。
【実施例１】
【００１０】
以下、本発明に係る可動糸ガイド部材を備えた横編機の一実施の形態を図面に基づいて説明する。
図１は横編機における歯口部分の概略の構成を示す側面図であって、図中符号１は横編機を全体的に示し、この横編機１はニードルベッド２の上方に図２に示すようなキャリッジ６を配し、ニードルベッド２にはニードルプレート３を等間隔に配設してある。
ニードルプレート３・３間にはコンパウンドニードル形式の編針４及び糸ガイド部材５を複数夫々個別に出退操作可能に並設し、このニードルベッド２を編針４の歯口部同士が近接する状態で側面視ハの字状に対峙させてある。
ニードルベッド２の先端部にはキャリッジ６で揺動操作される可動シンカー７が設けられるとともに、ニードルプレート３・３の歯口部同士間には歯口間隙間部Ｔが形成され、両ニードルベッド２の編針４及び糸ガイド部材５はキャリッジ６内のカム群等により進退操作されるようになっている。
【００１１】
図２はニードルベッド２の編針４を進退操作して編地を編成するためにキャリッジ６に装着されたカム群の概略を示す展開図であって、図中符号８はニッティングカム、  符号９は糸ガイド部材５の進退を制御する糸ガイド部材制御カム、符号１０は前記糸ガイド部材制御カム９を後述する度山カム１３の動作に連動させる連動手段である。
糸ガイド部材５は、先端部分が編針４のフック４ａの先端近傍に位置し、先端下面には歯口間隙間部Ｔに進出した時に編糸を所定の位置に案内するガイド面５ｂが形成されるとともに、キャリッジ６のカム群側に延出する操作杆部分５ｃには糸ガイド部材制御カム９の溝カム９ａに掛合するバット５ｄが形成されている（図３参照）。
【００１２】
ニッティングカム８は、山形をしたニードルレイジングカム１１と、ニードルレイジングカム１１の中央上部に配設された天山１２と、天山１２の両側にその側面に沿って摺動可能に設けられた度山カム１３・１３とを備え、ニードルレイジングカム１１と天山１２及び度山カム１３・１３との間に編針４のバット１４が通過するカム軌道１５が形成されて構成されている（図２参照）。
度山カム１３は、キャリッジ６のカムプレート６ａに摺動穴１６をハの字形に穿設し、各摺動穴１６・１６にそれぞれ摺動部材１７ａ・１７ｂを摺動可能に装着し、この摺動部材１７ａ・１７ｂの裏面側（ニードルベッド側）に取り付けられている。
【００１３】
そして、摺動部材１７ａ・１７ｂの表面側（キャリッジの内方側）部分には、後述する度目設定用リンク１８が連結されるピン１９が植設されるとともに、一端がキャリッジ６のカムプレート６ａに連結された度山カム引き下げ用のスプリング２０の他端が連結されるフック２１が設けらており、このスプリング２０の張力により度山カム１３が常時下方に引き下げられるように付勢されている。
また、図２に示すキャリッジ６は矢印Ａで示すように右方から左方に摺動するもので、左方の度山カム１３が先行側の度山カム１３となる。
【００１４】
各度山カム１３を昇降操作、即ち度目調節する度目設定用リンク１８は、先端が上記ピン１９に嵌合する操作アーム２２と、操作アーム２２の支軸２３を共有する揺動アーム２４と、揺動アーム２４の先端に連結された昇降ロッド２５ａ・２５ｂを備えてなり、左右の昇降ロッド２５ａ・２５ｂはその下端部に取り付けられたローラ２６ａ・２６ｂがガイドレール３５に設けられた２枚の度山制御用プレート２７ａ・２７ｂで押し上げられるようになっている（図１参照）。
したがって、度山制御用プレート２７ａ・２７ｂは左右の昇降ロッド２５ａ・２５ｂを個別に操作可能となっている。
【００１５】
因みに、度山制御用プレート２７の移動操作手段については図示を省略したが、例えば特開平３−１８５１６１号公報に記載されている構造のものが使用される。
即ち、横編機の制御装置からの信号で回転駆動されるステップモータをニードルベッドの一端部に設け、ステップモータの回転軸に螺旋溝カムを取り付け、度山制御用プレート２７の端部を螺旋溝カムに掛合させるとともに、度山制御用プレート２７ａ・２７ｂに傾斜した長穴を穿設し、この長穴にガイドレール３５に設けたピンを嵌合させることにより度山制御用プレート２７ａ・２７ｂが左右移動すると、度山制御用プレート２７ａ・２７ｂの高さが変化するようになっている。
【００１６】
糸ガイド部材制御カム９は、カムプレート６ａの裏面（ニードルベッド側）に固着された糸ガイド部材案内カム３７とカムプレート６ａとにガイドされて上下昇降可能に設けられており、ニードルベッド側の面には、糸ガイド５のバット５ａに係合する溝カム９ａを設け、カムプレート６ａ側の面には、後述の連動手段１０に係合する嵌合溝９ｂを長手方向に所定の間隔をあけて２箇所設けてある。
一方、糸ガイド部材制御カム９を度山カム１３の動作に連動させる連動手段１０は、図２乃至図４に示すように、溝カム９ａが形成された糸ガイド部材制御カム９を昇降操作する揺動アーム２８ａ・２８ｂと、揺動アーム２８ａを先行の度山カム１３に連動して揺動操作するＬ形の操作ベルクランク２９と、該Ｌ形の操作ベルクランク２９を一方（図上では左側）の度山カム１３に連動させるための摺動部材１７ａに形成したカム溝３１とで構成してある。
【００１７】
上記Ｌ形の操作ベルクランク２９は、折れ曲がった中間部を揺動枢支点３０とし、一端が度山カム１３の摺動部材１７ａの表面側上端部分に形成されたカム溝３１にカムローラ４３を介して掛合するとともに、他端が揺動アーム２８ａの上端部に連結されている（図３及び図４参照）。
揺動アーム２８ａはその中間部が回動軸３６によって枢支され、下端部及び回動軸３６の他端側の揺動アーム２８ｂがキャリッジ６のカムプレート６ａの貫通溝から下方に突出し、その先端部分がカムプレート６ａの裏面（ニードルベッド側）に、上下昇降可能に配設された糸ガイド部材制御カム９の上面に設けた嵌合溝９ｂに嵌合させてある。
【００１８】
上記のように構成された可動糸ガイド部材を備えた横編機の作用を次に説明する。
図２に矢印Ａで示すように、キャリッジ６が右方から左方に摺動する場合で、糸ガイド部材５を歯口間隙間部Ｔから退入した状態に保持する時は、キャリッジ６の摺動に先立って図外の度山制御用プレート２７ａが、その移動操作手段で所定の高さに設定される。
この度山制御用プレート２７ａが上昇するとローラ２６ａ、昇降ロッド２５ａ及び操作アーム２２を介して左方の度山カム１３が編目を形成しない度山休止側の位置に上昇する。
【００１９】
先行側の度山カム１３が上昇すると、これに伴って摺動部材１７ａの表面側上端部分に形成されたカム溝３１に沿って摺動するカムローラ４３により操作ベルクランク２９が時計回りに揺動する。
この操作用ベルクランク２９の揺動により揺動アーム２８ａの操作ベルクランク２９との係合端が回動軸３６を支点として図上にて上方（歯口側）に揺動し、揺動アーム２８ｂの先端が回動軸３６を支点として図上にて下方（歯口側とは逆の方）に揺動することにより、糸ガイド部材制御カム９を図上にて下方、即ち歯口側から離れる方向に移動操作を行なう。
しかして、糸ガイド部材制御カム９が下方に移動した状態でキャリッジ６がニードルベッド２上を摺動すると、この糸ガイド部材制御カム９の溝カム９ａに掛合するバット５ｄが引き下げられるので、糸ガイド部材５は図３のように歯口間隙間部Ｔから退入した状態となり、歯口間隙間部Ｔが大きく開口する。
【００２０】
したがって、図３に示すように歯口間隙間部Ｔに、編成過程に生じる渡り糸等の端余糸を処理するための糸挿入部材３３がキャリッジ６と相対的な移動しても、糸ガイド部材５の先端と干渉することがない。
このように、糸ガイド部材５を歯口間隙間部Ｔからニードルベッド２側に退入させるキャリッジ６のコースは、編成休止のコースまたは連動手段１０に連結された側の度山カム１３が、編成編目を形成しない先行側となるコースを設定することができる。
他方（後行側）の度山１３は連動手段１０を設ける必要がなく、図外の度山制御用プレート２７ｂの移動手段１０によってローラ２６ｂ、昇降ロッド２５ｂ、操作アーム２２及び摺動部材１７ｂを介して任意に位置を設定することができる。
【００２１】
次に、図５に矢印Ａ、Ｂで示すように、キャリッジ６が右方から左方または左方から右方に摺動する場合で、左右両方の度山カム１３を編成領域に設定し、糸ガイド部材５を歯口間隙間部Ｔに進出させる時は、図外の度山制御用プレート２７ａ・２７ｂの移動操作手段で図２に示す位置から図５に示す所望する位置に下降させる。
この度山制御用プレート２７ａ・２７ｂが下降するとローラ２６ａ・２６ｂ、昇降ロッド２５ａ・２５ｂ及び操作アーム２２を介して左右の度山カム１３が下降し、所定の度目位置になる。
【００２２】
先行の度山カム１３が下降すると、これに伴って摺動部材１７ａの表面側上端部分に形成されたカム溝３１に沿って摺動するカムローラ４３により操作ベルクランク２９が反時計回りに揺動される。
この操作用ベルクランク２９の揺動により、揺動アーム２８ａの操作ベルクランク２９との係合端が回動軸３６を支点として図上にて下方（歯口側とは逆）に揺動し、揺動アーム２８ａの下端部及び揺動アーム２８ｂも先端が回動軸３６を支点として図上にて上方（歯口側）に揺動することにより、糸ガイド部材制御カム９を図上にて上方、即ち歯口側の方向に移動操作を行なう。
【００２３】
しかして、糸ガイド部材制御カム９が上方に移動した状態でキャリッジ６がニードルベッド２上を摺動すると、この糸ガイド部材制御カム９の溝カム９ａに掛合するバット５ｄが押し上げられるので、糸ガイド部材５は図３の状態から図６のように歯口間隙間部Ｔに突出した状態となる。
したがって、ヤーンフィーダ３５から給糸された編糸は先端のガイド面５ｂに案内されて編針のフック４ａの先端近傍位置に案内されるので、その直後に編針の下降とともに進出するスライダ３６でフック４ａが閉じられても、編糸はフック４ａに確実に銜え込まれ、その後、後行の度山カム１３で編針４が所定の量引き込まれる。これにより、所望する度目の編目が形成される。
以上のように、ニッティングカム８の左右何れか一方（実施例では左方）の度山１３に連動手段１０を設け、該度山１３の昇降位置を利用することによって、糸ガイド部材制御カム９を特別の駆動機構や制御機構を設けることなく操作して糸ガイド部材５の進退制御が可能になるのである。
【００２４】
尚、上記説明では左方の度山カム１３と糸ガイド部材制御カム９とを連動手段１０で連結して糸ガイド部材５を操作するようにしてあるが、こうしたものに限られず、右方の度山カム１３と糸ガイド部材制御カム９とを連動手段１０で連結して糸ガイド部材５を操作することができるのは勿論である。
【図面の簡単な説明】
【００２５】
【図１】横編機の歯口部分の概略構成を示す側面図である。（実施例１）
【図２】キャリッジのカム群部分の概略構成を示す平面図である。（実施例１）
【図３】度山カムと糸ガイド部材との連動手段部分の概略構成を示す側面図である。（実施例１）
【図４】図２のＸ-Ｘ線断面図である。（実施例１）
【図５】糸ガイドを歯口部分に進出させたときのカム群部分の概略構成を示す平面図である。（実施例１）
【図６】糸ガイドが歯口部分に進出した状態の側面図である。（実施例１）
【符号の説明】
【００２６】
１・・・横編機
２・・・ニードルベッド
３・・・ニードルプレート
４・・・編針
５・・・糸ガイド部材
６・・・キャリッジ
１３・・・度山カム
３５・・・ヤーンフィーダ
Ｔ・・・歯口間隙間部
【図１】
2005076155.tif 000003
【図２】
2005076155.tif 000004
【図３】
2005076155.tif 000005
【図４】
2005076155.tif 000006
【図５】
2005076155.tif 000007
【図６】
2005076155.tif 000008